(57)【要約】【課題】  テンプル同士を確実に掛止することができ、しかも、安全性にも優れたヒンジレス眼鏡のテンプルストッパー機構を提供すること。【解決手段】  眼鏡フロント枠Ｆの両側方に配設されたテンプル１・１が弾性的に互いに内側に折り畳み可能に構成されるヒンジレス眼鏡における、前記両テンプル１・１を折り畳んで保持するための機構であって、前記テンプル１の少なくとも基端部11が可屈撓材料で形成され、かつ、この基端部11が眼鏡フロント枠Ｆに連結されている一方、一方のテンプル１Ａの躯体にはストッパー部材２が配設されており、このストッパー部材２の掛止溝21に他方のテンプル１Ｂの躯体を挟掴することによって当該両テンプル１・１を折り畳み状態に保持できるように構成するという技術的手段を採用した。【選択図】  図１
2005070344.tif 000002
【特許請求の範囲】
【請求項１】
眼鏡フロント枠Ｆの両側方に配設されたテンプル１・１が弾性的に互いに内側に折り畳み可能に構成されるヒンジレス眼鏡における、前記両テンプル１・１を折り畳んで保持するための機構であって、
前記テンプル１の少なくとも基端部11が可屈撓材料で形成され、かつ、この基端部11が眼鏡フロント枠Ｆに連結されている一方、
一方のテンプル１Ａの躯体にはストッパー部材２が配設されており、このストッパー部材２の掛止溝21に他方のテンプル１Ｂの躯体を挟掴することによって当該両テンプル１・１を折り畳み状態に保持できるように構成したことを特徴とするヒンジレス眼鏡のテンプルストッパー機構。
【請求項２】
ストッパー部材２の掛止溝21が上面または下面に配設され、この開口側がテンプル開閉方向と相異なるようにしたことを特徴とする請求項１記載のヒンジレス眼鏡のテンプルストッパー機構。
【請求項３】
テンプル１の芯材12の先端側にはモダン３が配設されており、このモダン３の合口部近傍にストッパー部材２が配設されていることを特徴とする請求項１または２記載のヒンジレス眼鏡のテンプルストッパー機構。
【請求項４】
ストッパー部材２が、テンプル１あるいはモダン３と一体成形されていることを特徴とする請求項１〜３の何れか一つに記載のヒンジレス眼鏡のテンプルストッパー機構。
【請求項５】
ストッパー部材２の掛止溝21の開口縁部に抜止め突起21ａが形成されていることを特徴とする請求項１〜４の何れか一つに記載のヒンジレス眼鏡のテンプルストッパー機構。
【発明の詳細な説明】
【技術分野】
【０００１】
本発明は、眼鏡構造の改良、更に詳しくは、テンプル同士を確実に掛止することができて収納時において便利であり、しかも、安全性にも優れたヒンジレス眼鏡のテンプルストッパー機構に関するものである。
【背景技術】
【０００２】
周知のとおり、眼鏡には様々な種類があるけれども、最近では、構造が簡素で、外観的的にもスッキリとしたデザインのものの人気が高い。そこで、従来の主流であった丁番ネジによるテンプルとフロント枠との連結部分に弾性部材を配設することによって、当該消費者の要求に応えるべくヒンジレス眼鏡が提案された（例えば、特許文献１参照）。
【０００３】
ところで、かかるヒンジレス眼鏡においては、フロント部側方のテンプルが一体に連接されているために、当該眼鏡を折り畳んでテンプルを収納する際にこの弾性拡開作用が問題となる。そこで、前記「特許文献１」の段落〔００１９〕および〔図６〕には、テンプルを弾性的に内側に撓曲させてテンプル同士を互いに拱（こまね）いて腕組み状態にすることによって折り畳む機構について開示されている。
【０００４】
しかしながら、かかる掛止機構においては、この腕組み部分に衝撃が加わった場合に誤って外れ易く、テンプルの屈撓状態において蓄積された弾性エネルギーによる鋭い反発動作によって使用者がケガをするおそれがあった。
【特許文献１】特開平10− 39261号公報（第２−４頁、図６）
【発明の開示】
【発明が解決しようとする課題】
【０００５】
本発明は、従来のヒンジレス眼鏡を収納しようとする際に上記のような問題があったことに鑑みて為されたものであり、その目的とするところは、テンプル同士を確実に掛止することができ、しかも、安全性にも優れたヒンジレス眼鏡のテンプルストッパー機構を提供することにある。
【課題を解決するための手段】
【０００６】
本発明者が上記課題を解決するために採用した手段を添付図面を参照して説明すれば次のとおりである。
【０００７】
即ち、本発明は、眼鏡フロント枠Ｆの両側方に配設されたテンプル１・１が弾性的に互いに内側に折り畳み可能に構成されるヒンジレス眼鏡における、前記両テンプル１・１を折り畳んで保持するための機構であって、
前記テンプル１の少なくとも基端部11が可屈撓材料で形成され、かつ、この基端部11が眼鏡フロント枠Ｆに連結されている一方、
一方のテンプル１Ａの躯体にはストッパー部材２が配設されており、このストッパー部材２の掛止溝21に他方のテンプル１Ｂの躯体を挟掴することによって当該両テンプル１・１を折り畳み状態に保持できるように構成するという技術的手段を採用した。
【０００８】
また、本発明は、上記課題を解決するために、必要に応じて上記手段に加え、ストッパー部材２の掛止溝21を上面または下面に配設し、この開口側がテンプル開閉方向と相異なるようにするという技術的手段を採用した。
【０００９】
更にまた、本発明は、上記課題を解決するために、必要に応じて上記手段に加え、テンプル１の芯材12の先端側にはモダン３を配設し、このモダン３の合口部近傍にストッパー部材２を配設するという技術的手段を採用した。
【００１０】
更にまた、本発明は、上記課題を解決するために、必要に応じて上記手段に加え、ストッパー部材２を、テンプル１あるいはモダン３と一体成形するという技術的手段を採用した。
【００１１】
更にまた、本発明は、上記課題を解決するために、必要に応じて上記手段に加え、ストッパー部材２の掛止溝21の開口縁部に抜止め突起21ａを形成するという技術的手段を採用した。
【発明の効果】
【００１２】
本発明においては、一方のテンプルの躯体にストッパー部材を配設し、このストッパー部材の掛止溝に他方のテンプルの躯体を挟掴することによって当該両テンプルを折り畳み状態に保持できるように構成したことによって、テンプル同士を確実に掛止することができて収納時において便利であり、しかも、安全性にも優れていることから、眼鏡における実用的利用価値は頗る高いと云える。
【発明を実施するための最良の形態】
【００１３】
本発明を実施するための最良の形態を具体的に図示した図面に基いて更に詳細に説明すると次のとおりである。
【００１４】
本発明の実施形態を図１から図３に基いて説明する。図中、符号１で指示するものはテンプルであり、このテンプル１は眼鏡フロント枠Ｆの両側方に配設される部材であって、ており、少なくとも基端部11が可屈撓材料で形成されている。
【００１５】
また、符号２で指示するものはストッパー部材であり、このストッパー部材２には掛止溝21が形成されている。そして、符号３で指示するものはモダンであり、このモダン３は前記テンプル１の先端側に配設する通常の耳当て部材である。
【００１６】
しかして、本実施形態にあっては、眼鏡フロント枠Ｆの両側方にテンプル１・１を配設し、これらが弾性的に互いに内側に折り畳み可能なヒンジレス眼鏡における、前記両テンプル１・１を折り畳んで保持するための機構を構成する。
【００１７】
まず、一方のテンプル１Ａの躯体にはストッパー部材２を配設し、このストッパー部材２の掛止溝21に他方のテンプル１Ｂの躯体を挟掴することによって当該両テンプル１・１を折り畳み状態に保持できるように構成した。なお、本実施形態では、テンプル１の芯材12の先端側にはモダン３を配設するとともに、このモダン３の合口部近傍にストッパー部材２を配設する。
【００１８】
この際、ストッパー部材２の掛止溝21を上面または下面に配設することにより、この開口側がテンプル開閉方向と相異なるようにすることによって、両テンプルの掛合状態をより堅固に維持することができる（図２参照）。
【００１９】
また、図示したように、ストッパー部材２を、モダン３と一体成形することもでき、本実施形態では、このモダン３の使用材料として、加工性が良いことからセルロースプロピオネート（プロピオン酸セルロース）を採用するが、他にセルロースアセテート（酢酸セルロース）、セルロイド（硝酸セルロース）などを採用することもできる。
【００２０】
また、図３に示すように、確実な掛合を得るためにストッパー部材２の掛止溝21の開口縁部に抜止め突起21ａを形成することができる。
【００２１】
本発明は、概ね上記のように構成されるが、本発明は図示の実施形態に限定されるものでは決してなく、「特許請求の範囲」の記載内において種々の変更が可能であって、例えば、テンプル１とストッパー部材２とを一体成形することができる。
【００２２】
また、ストッパー部材２はロウ付けによって取り付けることもできるし、掛止溝21は上面または下面に限らず、何れの面であっても良い。更にまた、左右両方のテンプル１・１にストッパー部材２を配設することもでき、何れのものも本発明の技術的範囲に属する。
【図面の簡単な説明】
【００２３】
【図１】本発明の実施形態の眼鏡を表わす全体斜視図である。
【図２】本発明の実施形態の掛合状態を表わす全体裏面図である。
【図３】本発明の実施形態の構造を表わす部分拡大斜視図である。
【符号の説明】
【００２４】
１（１Ａ・１Ｂ）  テンプル
11  基端部
12  芯材
２    ストッパー部材
21  掛止溝
21ａ  抜止め突起
３    モダン
Ｆ    フロント枠
【図１】
2005070344.tif 000003
【図２】
2005070344.tif 000004
【図３】
2005070344.tif 000005